(57)【特許請求の範囲】
【請求項１】
住宅等の敷地の周囲に設置されるフェンスであって、
フェンスの設置個所に予め構築される布基礎と、該布基礎に固定されたベースと、このベースに支持されて立設された樹脂製のフェンスパネルとを有し、
前記ベースには、長手方向へわたって互いに反する方向へ向いた一対のレールを有し、前記フェンスパネルには、その下端に、前記ベースのレールに係合する一対のスライド溝が形成され、
複数の前記フェンスパネルが、前記スライド溝を前記ベースの前記レールに係合させながらスライドさせることにより、前記ベースに支持されていることを特徴とするフェンス。
【請求項２】
前記フェンスパネルには、その側部に、隣り合うフェンスパネル同士と凹凸嵌合する凹部及び凸部が形成されていることを特徴とする請求項１記載のフェンス。
【発明の詳細な説明】
【０００１】
【発明の属する技術分野】
この発明は、住宅等の敷地の周囲等に設置されるフェンスに関するものである。
【０００２】
【従来の技術】
従来より、住宅等の敷地の周囲には、ブロックを積み上げたブロック塀が設置されている。
このブロック塀はセメントモルタルを練って各ブロックどうしの間に塗り付けながら各ブロックを積み重ねることにより施工していた。
【０００３】
【発明が解決しようとする課題】
ところで、上記のようなブロック塀にあっては、重量の重い複数のブロックを積み上げるという多大な労力を要する作業を行わなければならず、また、セメントモルタルを塗りながらブロックを正確に配列させるためには、かなりの熟練を要するという問題があった。
また、破損した箇所の修復を行う場合、その周囲にわたる広範囲にて施工し直さなければならず、容易に修復することが困難であった。
【０００４】
この発明は、上記事情に鑑みてなされたもので、熟練を必要とせずに、かつ極めて容易に施工及び修復することが可能なフェンスを提供することを目的としている。
【０００５】
【課題を解決するための手段】
上記目的を達成するために、請求項１記載のフェンスは、住宅等の敷地の周囲に設置されるフェンスであって、フェンスの設置個所に予め構築される布基礎と、該布基礎に固定されたベースと、このベースに支持されて立設された樹脂製のフェンスパネルとを有し、前記ベースには、長手方向へわたって互いに反する方向へ向いた一対のレールを有し、前記フェンスパネルには、その下端に、前記ベースのレールに係合する一対のスライド溝が形成され、複数の前記フェンスパネルが、前記スライド溝を前記ベースの前記レールに係合させながらスライドさせることにより、前記ベースに支持されていることを特徴としている。
【０００６】
請求項２記載のフェンスは、請求項１記載のフェンスにおいて、前記フェンスパネルの側部に、隣り合うフェンスパネル同士と凹凸嵌合する凹部及び凸部が形成されていることを特徴としている。
【０００７】
【発明の実施の形態】
以下、本発明の実施の形態のフェンスを図によって説明する。
図１から図４において、符号１は、フェンスである。このフェンス１は、予め構築した布基礎２上に設置されたもので、布基礎２に取り付けられた例えばアルミ押出品からなるベース３と、このベース３に取り付けられた複数の例えばポリカーボネイト等の合成樹脂製の射出成形品からなるフェンスパネル４とから構成されている。
ベース３は、布基礎２に立設されたアンカー２ａに薄ナット５を介して設置され、さらにベース３の上方からナット６を締結することにより固定されたもので、その上面側にはそれぞれ内方へ向いた一対のレール７が形成されている。
このベース３に設置されたフェンスパネル４は、ベース３のレール７が係合可能なスライド溝１１が形成された基部１２と、この基部１２に一体成形されたフェンスパネル本体１３とから構成されている。フェンスパネル本体１３は、格子状のリブ１４を有する格子枠体部１５と、この格子枠体部１５の両側部に設けられた複数の水平リブ１６を有する側方枠体部１７とから構成されており、格子枠体部１５には、その下部に基部１２から立設された補強板１８が設けられている。なお、この側方枠体部１７は、図５に示すように、各水平リブ１６間が平板部１６ａによって閉鎖されている。
【０００８】
また、このフェンスパネル本体１３には、一側部に上下方向へ一対の凸部２１が形成され、他側部には、前記凸部２１が嵌合可能な凹部２２が形成されている。即ち、これらフェンスパネル本体１３の側部同士にて、凸部２１と凹部２２とが嵌合されて連結されている。
なお、このフェンスパネル４には、その表面に耐候性塗料が塗布されて、天候（風雨、太陽光線等）から保護されている。
【０００９】
そして、上記構成のフェンス１を構築する場合は、まず、布基礎２に予め立設させたアンカー２ａに薄ナット５によって高さを調整しながらベース３をナット６によって固定し、このベース３の端部からフェンスパネル４を、その基部１２に形成されたスライド溝１１をレール７へ係合させながらスライドさせ、それぞれのフェンスパネル４の側部同士を突き合わせ、それぞれのフェンスパネル本体１３の側部に形成された凸部２１と凹部２２とを嵌合させる。
【００１０】
このように、上記のフェンス１によれば、布基礎２に固定したベース３のレール７にフェンスパネル４の基部１２に形成されたスライド溝１１を係合させて順次スライドさせることにより、極めて容易にフェンス１を構築することができる。
即ち、従来のように、複数のブロックを、セメントモルタルを塗りながら積み上げて構築するブロック塀と比較して、その施工作業にかかる労力を大幅に低減させることができ、工期の短縮を図ることができるとともに、施工作業に熟練を不要とすることができる。また、この従来のセメントモルタルを用いた湿式のものと比較して、天候に左右されることなく施工を行うことができる。
【００１１】
また、一部のフェンスパネル４が破損、損傷した場合にも、この破損、損傷したフェンスパネル４のみを容易に取り替えることができ、さらには、合成樹脂製の軽量のフェンスパネル４を用いているので、例えば地震等による影響が少なく、被害を最小限に抑えることができる。
また、フェンスパネル４が射出成形によって成形され、ベース３が押出成形によって成形されているので、容易に量産化を行うことができ、低コスト化を図ることができる。
さらに、フェンスパネル４同士が、側部に形成された凸部２１及び凹部２２を凹凸嵌合させることにより、極めて容易に接合される。
つまり、モルタル等によるフェンスパネル４同士の接合作業を省略することができ、さらなる作業の簡略化を図ることができる。
【００１２】
【発明の効果】
以上、説明したように、本発明のフェンスによれば、下記の効果を得ることができる。
請求項１記載のフェンスによれば、布基礎に固定したベースのレールにフェンスパネルの基部に形成されたスライド溝を係合させて順次スライドさせることにより、極めて容易にフェンスを構築することができる。
即ち、従来のように、複数のブロックを、セメントモルタルを塗りながら積み上げて構築するブロック塀と比較して、その施工作業にかかる労力を大幅に低減させることができ、工期の短縮を図ることができるとともに、施工作業に熟練を不要とすることができる。また、この従来のセメントモルタルを用いた湿式のものと比較して、天候に左右されることなく施工を行うことができる。
また、一部のフェンスパネルが破損、損傷した場合にも、この破損、損傷したフェンスパネルのみを容易に取り替えることができ、さらには、合成樹脂製の軽量のフェンスパネルを用いているので、例えば地震等による倒壊がなく、被害を最小限に抑えることができる。
また、フェンスパネルを射出成形によって成形し、ベースを押出成形によって成形することにより、容易に量産化を行うことができ、低コスト化を図ることができる。
請求項２記載のフェンスによれば、フェンスパネル同士が、側部に形成された凹部及び凸部を凹凸嵌合させることにより、極めて容易に接合される。
つまり、モルタル等によるフェンスパネル同士の接合作業を省略することができ、さらなる作業の簡略化を図ることができる。
【図面の簡単な説明】
【図１】本発明の実施の形態のフェンスの構成及び構造を説明する設置されたフェンスの斜視図である。
【図２】本発明の実施の形態のフェンスを構成するフェンスパネルの構造を説明するフェンスパネルの断面図である。
【図３】本発明の実施の形態のフェンスを構成するフェンスパネルの構造を説明するフェンスパネルの正面図である。
【図４】本発明の実施の形態のフェンスを構成するフェンスパネルの構造を説明するフェンスパネルの横断面図である。
【図５】本発明の実施の形態のフェンスを構成するフェンスパネルの一部の断面図である。
【符号の説明】
１  フェンス
２  布基礎
３  ベース
４  フェンスパネル
７  レール
１１  スライド溝
【図１】
0003693755.tif 000002
【図２】
0003693755.tif 000003
【図３】
0003693755.tif 000004
【図４】
0003693755.tif 000005
【図５】
0003693755.tif 000006